(57)【要約】【課題】使用者の好みに応じて、発熱部からの熱量や収容本体部の重量、厚さ寸法を容易に調整することができ、さらに発熱部の着脱のし易さを維持したまま、発熱部を固定的に収容することができる温熱収容具およびこれを備える温熱具を提供すること。【解決手段】発熱部１０を着脱可能に収容する袋状の収容本体部２ａを備え、前記収容本体部２ａは、前記収容本体部２ａ内の両内壁に設けられ、かつ前記袋状の開口側と異なる側に開口されて前記発熱部１０をそれぞれ収容する仕切片２１とを備えることを特徴とする。【選択図】図１
0003170518.tif 000002
【実用新案登録請求の範囲】
【請求項１】
発熱部を着脱可能に収容する袋状の収容本体部を備え、
前記収容本体部は、
前記収容本体部内の両内壁に設けられ、かつ前記袋状の開口側と異なる側に開口されて前記発熱部をそれぞれ収容する仕切片と
を備えることを特徴とする温熱収容具。
【請求項２】
前記仕切片は、
前記袋状の開口側と反対の底部側に開口されていることを特徴とする請求項１に記載の温熱収容具。
【請求項３】
前記収容本体部が四角形状に形成されており、当該四角形状の４つの辺部のうち、一の辺部が前記開口されていることを特徴とする請求項１または請求項２に記載の温熱収容具。
【請求項４】
前記収容本体部のうち、前記一の辺部の長手方向の両端部のうち、少なくともいずれか一方の端部に、互いに連結可能な本体連結部が設けられていることを特徴とする請求項３に記載の温熱収容具。
【請求項５】
前記収容本体部のうち、前記一の辺部に直交する方向の両端部のうち、少なくともいずれか一方の端部に、前記本体連結部が設けられていることを特徴とする請求項４に記載の温熱収容具。
【請求項６】
前記本体連結部は、ボタンとボタンホールとを備えることを特徴とする請求項４または請求項５に記載の温熱収容具。
【請求項７】
前記ボタンと前記ボタンホールとが直線上に配置されていることを特徴とする請求項６に記載の温熱収容具。
【請求項８】
前記ボタンと前記ボタンホールとが一体に設けられていることを特徴とする請求項７に記載の温熱収容具。
【請求項９】
前記本体連結部は、長尺状の取付部を備え、
前記取付部の一端部に前記ボタンが取り付けられ、前記取付部の他端部が前記収容本体部に取り付けられており、
前記取付部のうち、前記一端部と前記他端部との中間部に、前記ボタンホールが設けられていることを特徴とする請求項８に記載の温熱収容具。
【請求項１０】
前記収容本体部に取り付けられる延長部材を備え、
前記延長部材には、前記ボタンが連結される延長用ボタンホールが形成され、
前記延長用ボタンホールは、前記延長部材の長手方向および短手方向に複数形成されており、
前記延長部材の短手方向に形成された前記延長用ボタンホールが前記長手方向にずらされて配列されていることを特徴とする請求項６から請求項９のいずれか一項に記載の温熱収容具。
【請求項１１】
前記発熱部を着脱可能に収容する袋状の収容別体部を備え、
前記収容別体部には、前記本体連結部に連結可能な別体連結部が設けられ、
前記収容別体部は、前記収容本体部よりも小さく形成されていることを特徴とする請求項４から請求項１０のいずれか一項に記載の温熱収容具。
【請求項１２】
前記収容別体部が四角形状に形成されており、
前記収容別体部の長手方向の両端部のうち、少なくともいずれか一方の端部と、
前記収容別体部の短手方向の両端部のうち、少なくともいずれか一方の端部とに、
前記別体連結部が設けられていることを特徴とする請求項１１に記載の温熱収容具。
【請求項１３】
前記発熱部と、
請求項１から請求項１２のいずれか一項に記載の温熱収容具と
を備えることを特徴とする温熱具
【請求項１４】
前記発熱部と請求項１から請求項１３のいずれか一項に記載の温熱収容具とが、それぞれ天然素材からなることを特徴とする温熱具。
【考案の詳細な説明】
【技術分野】
【０００１】
本考案は、発熱部を収容する温熱収容具およびこれを備える温熱具に関する。
【背景技術】
【０００２】
従来、肩こりや体の冷え、むくみなど、体のケアのために、種々の温熱具が利用されている。
これら温熱具の中には、熱を発する発熱部と、この発熱部を収容する収容本体部とを備えるものが知られている（例えば、特許文献１参照。）。そして、開口部を介して発熱部を収容本体部に収容させ、この収容本体部を体の所望の箇所にあてがった状態で、発熱部からの熱を収容本体部を介して体に伝達するようになっている。
【０００３】
しかしながら、このような収容本体部では、一つの収容部に収容する発熱部を増減させることができないため、発熱部からの熱量や全体の重量、収容本体部の厚さ寸法などの変更ができないという問題がある。
また、従来の収容本体部では、開口部を介して発熱部の着脱が容易となるものの、温める体の部位や姿勢などによっては、収容した発熱部が開口部を介して落下してしまうという問題がある。
【先行技術文献】
【特許文献】
【０００４】
【特許文献１】特開２００８−２００２３８号公報
【考案の概要】
【考案が解決しようとする課題】
【０００５】
本考案は、このような問題を解決するためになされたもので、使用者の好みに応じて、発熱部からの熱量や全体の重量、収容本体部の厚さ寸法を容易に調整することができ、さらに発熱部の着脱のし易さを維持したまま、発熱部を固定的に収容することができる温熱収容具およびこれを備える温熱具を提供することを目的とする。
【課題を解決するための手段】
【０００６】
上記課題を解決するために、本考案は以下の手段を提供する。
本考案は、発熱部を着脱可能に収容する袋状の収容本体部を備え、前記収容本体部が、前記収容本体部内の両内壁に設けられ、かつ前記袋状の開口側と異なる側に開口されて前記発熱部をそれぞれ収容する仕切片とを備えることを特徴とする。
【０００７】
この考案においては、仕切片によって、収容本体部内が厚さ方向に仕切られ、発熱部が厚さ方向に選択的に収容される。
そのため、発熱部からの熱量や全体の重量、収容本体部の厚さ寸法を容易に調整することができる。
また、仕切片が、収容本体部の開口側と異なる側に開口されていることから、収容本体部の開口側が下向きに配されても、発熱部が収容本体部の開口側から落下することを防止することができる。
【０００８】
また、本考案は、前記仕切片が、前記袋状の開口側と反対の底部側に開口されていることを特徴とする。
【０００９】
この考案によれば、収容本体部の開口側が下方に向けられたときの、発熱部の保持力を強化することができる。
【００１０】
また、本考案は、前記収容本体部が四角形状に形成されており、当該四角形状の４つの辺部のうち、一の辺部が前記開口されていることを特徴とする。
【００１１】
この考案によれば、開口を介して発熱部を着脱させることにより発熱部の着脱のし易さを維持したまま、他の辺部を複数開口させるよりも発熱部を固定的に収容することができる。
【００１２】
また、本考案は、前記収容本体部のうち、前記一の辺部の長手方向の両端部のうち、少なくともいずれか一方の端部に、互いに連結可能な本体連結部が設けられていることを特徴とする。
【００１３】
この考案によれば、収容本体部を長手方向において環状に配した状態で固定することができ、例えば、腕、腰、足、首などに巻き付けておくことができる。また、収容本体部を他の収容本体部に長手方向に連結させることができる。
【００１４】
また、本考案は、前記収容本体部のうち、前記一の辺部に直交する方向の両端部のうち、少なくともいずれか一方の端部に、前記本体連結部が設けられていることを特徴とする。
【００１５】
この考案によれば、一の辺部に直交する方向において収容本体部を環状に配した状態で固定することができ、例えば、腕、腰、足、首などに巻き付けておくことができる。また、一の辺部に直交する方向に、収容本体部を他の収容本体部に連結させることができる。
【００１６】
また、本考案は、前記本体連結部は、ボタンとボタンホールとを備えることを特徴とする。
【００１７】
この考案によれば、他の本体連結部のボタンホールにボタンを通すという簡易な動作だけで、本体連結部を確実に連結させることができる。
【００１８】
また、本考案は、前記ボタンと前記ボタンホールとが直線上に配置されていることを特徴とする。
【００１９】
この考案によれば、ボタンとボタンホールとが直線上に外れる方向に対する保持力を強化することができる。
【００２０】
また、本考案は、前記ボタンと前記ボタンホールとが一体に設けられていることを特徴とする。
【００２１】
この考案によれば、部品点数を減少させることができ、構成を簡易にすることができる。
【００２２】
また、本考案は、前記本体連結部が、長尺状の取付部を備え、前記取付部の一端部に前記ボタンが取り付けられ、前記取付部の他端部が前記収容本体部に取り付けられており、前記取付部のうち、前記一端部と前記他端部との中間部に、前記ボタンホールが設けられていることを特徴とする。
【００２３】
この考案によれば、ボタンとボタンホールとを、簡易な構成により容易に一体にすることができる。
【００２４】
また、本考案は、前記収容本体部に取り付けられる延長部材を備え、前記延長部材には、前記ボタンが連結される延長用ボタンホールが形成され、前記延長用ボタンホールは、前記延長部材の長手方向および短手方向に複数形成されており、前記延長部材の短手方向に形成された前記延長用ボタンホールが前記長手方向にずらされて配列されていることを特徴とする。
【００２５】
この考案によれば、延長部材により、収容本体部だけでは固定できないような部位であっても容易に固定することができ、利便性を向上させることができる。また、延長用ボタンホールが形成されていることから、収容本体部と容易に連結させることができる。さらに、延長部材の短手方向に形成された延長用ボタンホールが長手方向にずらされて配列されていることから、ボタンを通す位置を細かく選択することができる。
【００２６】
また、本考案は、前記発熱部を着脱可能に収容する袋状の収容別体部を備え、前記収容別体部には、前記本体連結部に連結可能な別体連結部が設けられ、前記収容別体部が、前記収容本体部よりも小さく形成されていることを特徴とする。
【００２７】
この考案によれば、収容本体部と収容別体部とを連結させた状態で、温熱収容具全体の大きさや形のバリエーションを増やすことができ、利便性を向上させることができる。
【００２８】
また、本考案は、前記収容別体部が四角形状に形成されており、前記収容別体部の長手方向の両端部のうち、少なくともいずれか一方の端部と、前記収容別体部の短手方向の両端部のうち、少なくともいずれか一方の端部とに、互いに連結可能な別体連結部が設けられていることを特徴とする。
【００２９】
この考案によれば、収容本体部と収容別体部とを縦横方向に連結させることができ、温熱収容具全体の大きさや形のバリエーションを増やすことができ、利便性を向上させることができる。
【００３０】
また、本考案は、前記発熱部と、請求項１から請求項１２のいずれか一項に記載の温熱収容具とを備えることを特徴とする。
【００３１】
この考案によれば、請求項１から請求項１２のいずれか一項に記載の温熱収容具と同様の効果を奏することができるだけでなく、ユーザの患部を確実に温めることができる。
【００３２】
また、本考案は、前記発熱部と請求項１から請求項１３のいずれか一項に記載の温熱収容具とが、それぞれ天然素材からなることを特徴とする。
【００３３】
この考案によれば、地球環境の保護に寄与することができる。
【考案の効果】
【００３４】
本考案によれば、使用者の好みに応じて、発熱部からの熱量や全体の重量、収容本体部の厚さ寸法を容易に調整することができ、さらに発熱部の着脱のし易さを維持したまま、発熱部を固定的に収容することができる。
【図面の簡単な説明】
【００３５】
【図１】本考案の実施形態における温熱収容具およびこれを備える温熱具を示す平面図である。
【図２】図１の温熱収容具およびこれを備える温熱具を裏面から見た様子を示す平面図である。
【図３】図１のＡ−Ａ線矢視断面図である。
【図４】収容別体部を示す平面図である。
【図５】延長ベルトを示す平面図である。
【図６】温熱収容具の連結部同士を連結した様子を示す斜視図である。
【図７】図４の収容別体部を両目にわたって載置した様子を示す説明図である。
【図８】図１のメイン収容具と図４の収容別体部とを連結し、顔全体にわたって載置した様子を示す説明図である。
【図９】図１のメイン収容具と図５の延長ベルトとを連結した様子を示す斜視図である。
【考案を実施するための最良の形態】
【００３６】
（実施形態）
以下、本考案の実施形態における温熱収容具およびこれを備える温熱具について、図面を参照して説明する。
図１および図２は、温熱収容具およびこれを備える温熱具を示す平面図である。
温熱具１は、熱を発する発熱部１０と、この発熱部１０を収容する温熱収容具２とを備えている。
発熱部１０は、不図示の発熱材と、この発熱材を収容する発熱収容体１０ａとを備えている。
【００３７】
発熱収容体１０ａは、例えば、綿、麻、シルクなどの天然素材（自然素材）からなっている。なお、天然素材（自然素材）とは、例えば石油系などのような化学合成物が含まれていない素材をいう。また、発熱収容体１０ａは、中空状かつ長方形状に形成されている。そして、発熱収容体１０ａは、平面方向に互いに連結された複数の小袋（不図示）を収容している。それら複数の小袋には、それぞれ発熱材が収容されている。
発熱材は、天然素材（自然素材）からなっている。発熱材の天然素材としては、例えば、パワーフード（黒米、緑豆、小豆、黒豆、粟、自然塩、岩塩、とうがらし）、やハーブとドライフラワーとアロマ（ジンジャー、ヨモギ、マジョラム、ローズマリー、レモンピール、ラベンダー、ローズ、菊）などが利用される。天然素材には、植物の花、実、茎、葉、根などが含まれ、薬草、漢方薬、抽出液、精油成分（アロマ）、フローラルウォーターのほか、動物性素材、鉱石なども含むものとする。天然素材を利用する目的は、天然素材を加熱することで発生するアロマ蒸気温熱（芳香湿熱）を提供することにより健康増進に寄与するためである。また天然繊維が目的部位に接するので、例えばアトピーなどのアレルギー疾患のある人、幼児や高齢者などのケアを必要とする人、健康弱者、ペットなどに対して安全で安心して使えることであり、幅広いユーザーの健康増進に寄与するためである。
【００３８】
温熱収容具２は、メイン収容具２４と、後述する収容別体部５０（図４に示す）と、後述する延長ベルト７０（図５に示す）とを備えている。
メイン収容具２４は、長方形状に形成された収容本体部２ａを備えている。収容本体部２ａは、例えば、綿、麻、シルクなどの天然素材（自然素材）からなっている。
この収容本体部２ａは、長方形状の第１の袋体２２と第２の袋体２３とが長手方向Ｗに連結されて構成されている。これら第１の袋体２２と第２の袋体２３の４辺のうち、長辺部２ａ１のみが開口され、他の３辺は閉じられている。すなわち、収容本体部２ａの４辺のうち、長手方向Ｗの両端の短辺部２ｂと、短手方向Ｈの他端の長辺部２ａ２とは閉じられ、短手方向Ｈの一端の長辺部２ａ１のみがその全長にわたって開口されている。そして、第１の袋体２２と第２の袋体２３とのそれぞれに、長辺部２ａ１の開口を通して、発熱部１０が着脱可能に収容されるようになっている。
なお、短手方向Ｈのうち一端側（長辺部２ａ１側）を開口側といい、他端側（長辺部２ａ２）を底部側という。
【００３９】
また、収容本体部２ａの長手方向Ｗの両端部および短手方向Ｈの両端部には、連結部３が設けられている。
連結部３は、長手方向Ｗの両端部においてそれぞれ短手方向Ｈに２つずつ設けられており、短手方向Ｈの両端部においてそれぞれ長手方向Ｗに４つずつ設けられている。また、長手方向Ｗの両端部に設けられたそれぞれの連結部３は、長手方向Ｗに対向する位置に配置されており、短手方向Ｈの両端部に設けられたそれぞれの連結部３は、短手方向Ｈに対向する位置に配置されている。すなわち、メイン収容具２４を縦横に配列した状態で、近接するそれぞれの連結部３を互いに連結することにより、メイン収容具２４が他の温熱収容具と縦横に連結するようになっている。これらすべての連結部３は、収容本体部２ａの一方の主面側に設けられている。
【００４０】
なお、連結部３はすべて同一構成であるため、ここでは一つの連結部３についてのみ説明する。連結部３は、長尺状に延びる取付部３２と、この取付部３２の一端部（先端部）に設けられたボタン３１と、取付部３２に形成されたボタンホール３３とを備えている。これら取付部３２とボタン３１とボタンホール３３は、例えば、綿、麻、シルクなどの天然素材（自然素材）からなっており、それぞれ一体に設けられている。
取付部３２は、帯状の紐がＵ字状に折り返されて構成されており、その両開放端部が綿糸によって収容本体部２ａに縫い付けられている。なお、取付部３２の長手方向の両端部のうち、折り返し部を一端部（先端部）とし、両開放端部を他端部（基端部）とする。また、取付部３２の折り返し部が結ばれることによってボタン３１が形成されている。ボタン３１の根本の部分は綿糸によって縫い付けられている。取付部３２のうち、収容本体部２ａへの縫い付け部分とボタン３１の根本部分との感はフリーとされており、これにより２本の帯状の紐によってボタンホール３３が形成されている。すなわち、ボタン３１とボタンホール３３とは、取付部３２の長手方向に延びる直線上に配置されている。
【００４１】
また、収容本体部２ａの両内壁には、長辺部２ａ１から内方の底部側（長辺部２ａ２側）に折り返された仕切片２１がそれぞれ設けられている。仕切片２１の先端は、長辺部２ａ１から収容本体部２ａの短手方向Ｈの中心線Ｅを超えた位置であって、中心線Ｅと長辺部２ａ２との間まで延ばされている。また、仕切片２１の先端は、フリー状態に解放されている。すなわち、仕切片２１は、底部側（長辺部２ａ２側）に開口されている。さらに、仕切片２１は、収容本体部２ａの長手方向Ｗの全長にわたって延ばされており、それぞれの仕切片２１の長手方向Ｗの両端は綿糸によって連結されている。
そのため、図３に示すように、収容本体部２ａの内方には、収容本体部２ａの内壁部２ｃ１と一方の仕切片２１との間に形成される第１の収容部２５と、内壁部２ｃ２と他方の仕切片２１との間に形成される第２の収容部２７と、一方の仕切片２１と他方の仕切片２１との間に形成される第３の収容部２６とが設けられる。そして、第１から第３の収容部２５，２６，２７のそれぞれに発熱部１０が選択的かつ着脱可能に収容されるようになっている。
【００４２】
また、温熱収容具２は、図４に示すように、発熱部１０を収容する収容別体部５０を備えている。
収容別体部５０は、四角形状に形成された袋状の別体本体部５１を備えている。別体本体部５１は、例えば、綿、麻、シルクなどの天然素材（自然素材）からなっている。また、別体本体部５１の４辺部のうち、一方の長辺部５１ａ１のみが開口されており、他の長辺部５１ａ２と収容別体部５０の長手方向Ｗ１の両端の短辺部は閉じられている。また、長辺部５１ａ１，５１ａ２の長手方向Ｗ１の中央には、短手方向Ｈ１の内方にそれぞれ没した凹部５１ｃが形成されている。また、別体本体部５１の短手方向Ｈ１の長さ寸法は、収容本体部２ａの短手方向Ｈの長さ寸法と同一に設定されている。一方、別体本体部５１の長手方向Ｗ１の長さ寸法は、収容本体部２ａの長手方向Ｗの長さ寸法の半分に設定されている。すなわち、別体本体部５１は、収容本体部２ａよりも面積が小さくなっている。
さらに、別体本体部５１の両内壁には、仕切片２１と同様の仕切片５２が設けられている。また、別体本体部５１の一方の主面には連結部３が設けられている。なお、連結部３は、本体連結部と別体連結部とが兼用されたものである。連結部３は、別体本体部５１の長手方向Ｗ１の両端部に２つずつ、短手方向Ｈ１の両端部に２つずつ設けられている。これら連結部３の取付位置は、図１に示す第１の袋体２２と第２の袋体２３ごとに設けられた連結部３の取付位置と一致するようになっている。
【００４３】
また、温熱収容具２は、図５に示すように、延長ベルト（延長部材）７０を備えている。
延長ベルト７０は、帯状に延びるベルト本体部７１を備えている。ベルト本体部７１は、例えば、綿、麻、シルクなどの天然素材（自然素材）からなっている。また、ベルト本体部７１には、複数のボタンホール（延長用ボタンホール）７２が形成されている。ボタンホール７２は、長手方向Ｗ２に直線上に複数配列されており、さらに、短手方向Ｈ２にも複数配列されている。これらボタンホール７２は、長手方向Ｗ２および短手方向Ｈ２に均等間隔を空けて配列されている。なお、長手方向Ｗ２に直線上に配列されたボタンホール７２のうち、短手方向Ｈ２の一端側に配列されたボタンホール７２ａ１，７２ａ２，７２ａ３・・・を第１列７２ａとする。そして、この第１列７２ａよりも短手方向Ｈ２の他端側に配列されたボタンホール７２ｂ１，７２ｂ２，７２ｂ３・・・を第２列７２ｂとし、この第２列７２ｂよりも短手方向Ｈ２の他端側に配列されたボタンホール７２ｃ１，７２ｃ２，７２ｃ３・・・を第３列７２ｃとする。すなわち、ボタンホール７２は、第１列７２ａから第３列７２ｃまで、短手方向Ｈ２に３列に配列されている。そして、第２列７２ｂは、短手方向Ｈ２の中心に配置されている。
【００４４】
さらに、第２列７２ｂは、第１列７２ａよりも長手方向Ｗ２にずらされており、第３列７２ｃは、第２列７２ｂよりも長手方向Ｗ２にずらされている。より詳細には、第２列７２ｂの左端のボタンホール７２ｂ１は、第１列７２ａの左端のボタンホール７２ａ１の左端部７２Ｌと、２番目のボタンホール７２ａ２の右端部７２Ｒとの間に配置される。他のボタンホール７２ｂ２，７２ｂ３・・・およびボタンホール７２ｃ１，７２ｃ２，７２ｃ３・・・も同様にしてずらされている。
【００４５】
次に、このように構成された本実施形態における温熱収容具２およびこれを備える温熱具１の使い方について説明する。
最初に、収容別体部５０および延長ベルト７０を使用せず、メイン収容具２４のみを使用する場合について説明する。
まず、ユーザが、図３に示す第１から第３の収容部２５，２６，２７のうち、ユーザの好みに応じて選択的に発熱部１０を収容させる。具体的には、収容本体部２ａの開口側から発熱部１０を入れ、さらにその発熱部１０を、仕切片２１の開口から、第１または第２の収容部２５，２７に移動させ収容させる。または、収容本体部２ａの開口側から発熱部１０を入れ、第３の収容部２６に収容させる。すなわち、発熱部１０を収容する場所は、第１から第３の収容部２５，２６，２７のいずれか１つでも良いし、いずれか２つでも良いし、３つ全てであってもよい。これにより、ユーザが、好みに応じて発熱量と収容本体部２ａの奥行寸法（厚さ寸法）と重量とを調整することができる。なお、発熱部１０を収容する数を増やせば増やすほど、発熱量と収容本体部２ａの奥行寸法と重量とが増大し、一方、発熱部１０を収容する数を減らせば減らすほど、発熱量と収容本体部２ａの奥行寸法と重量とが減少することは言うまでもない。
【００４６】
それから、温熱具１を電子レンジなどで温めることにより、発熱部１０を発熱させる。これにより、発熱部１０からアロマ蒸気温熱（芳香湿熱）が発生する。この状態で、収容本体部２ａを患部にあてがうことにより、患部が温められる。
なお、首から肩にかけて温めたい場合には、収容本体部２ａを首の後ろから両肩に延ばすようにして配置する。
一方、腕、腰、足、首などに巻き付けて使用する場合には、図６に示すように、長手方向Ｗの両端部の連結部３を互いに連結させる。すなわち、収容本体部２ａを環状に配して長手方向Ｗの両端部を対向配置すると、互いの連結部３が対向配置される。そこで、一方のボタン３１を他方のボタンホール３３に通し、他方のボタン３１を一方のボタンホール３３に通す。すなわち、互いのボタン３１を互いのボタンホール３３に通す。これにより、互いの連結部３が連結され、メイン収容具２４が、腕、腰、足、首などの所望の部位に巻き付けられた状態で固定される。
【００４７】
また、背中や肩などの広い範囲を温めたい場合には、複数の収容本体部２ａを利用する。すなわち、長辺部２ａ１，２ａ２同士を短手方向Ｈに配置し、対向する連結部３を上記と同様に連結すればよい。
一方、収容本体部２ａの面積よりも狭い範囲を温めたい場合には、収容本体部２ａを中心線Ｂから半分に折り返して利用すればよい。また、収容別体部５０のみを利用してもよい。すなわち、上記と同様に、ユーザの好みに応じて、発熱量と収容別体部５０の奥行寸法と重量とを調整して利用することができる。
例えば、アイマスクとして両目を温めたい場合には、図７に示すように、発熱部１０の量を調整した上で、収容別体部５０を両目にわたって載置する。
【００４８】
また、顔全体を温めたい場合には、図８に示すように、メイン収容具２４と収容別体部５０とを連結させて利用すればよい。すなわち、メイン収容具２４を中心線Ｂから半分に折り返した状態で、連結部３により、メイン収容具２４と収容別体部５０とを短手方向Ｈ，Ｈ１に連結させる。このとき、収容別体部５０に凹部５１ｃが設けられていることから、凹部５１ｃによって鼻を避けた状態で、メイン収容具２４と収容別体部５０とを顔面上に載置することができる。
また、このとき、２つのメイン収容具２４を利用することもできる。すなわち、２つのメイン収容具２４を中心線Ｂから半分に折り返し、それぞれ短手方向Ｈに連結させた状態で利用すればよい。また、２つの収容別体部５０同士を短手方向Ｈ１に連結させてもよい。これにより、凹部５１ｃ同士が対向されて鼻を避けやすくすることができる。また、凹部５１ｃが２つの長辺部５１ａ１，５１ａ２に形成されていることから、収容別体部５０の向きを意識することなく、確実に鼻を避けやすくすることができる。
【００４９】
さらに、メイン収容具２４の長手方向Ｗの長さ寸法では足りない場合、図９に示すように、延長ベルト７０を連結することができる。例えば、腰に巻き付ける場合、収容本体部２ａの連結部３のうち、長手方向Ｗの両端部の連結部３をボタンホール７２に通すことにより、メイン収容具２４と延長ベルト７０とが連結される。このとき、取付部位に応じて、ボタン３１を通すボタンホール７２を適切に選択することにより、所望の位置に取り付ける力を調整することができる。
【００５０】
以上より、本実施形態における温熱収容具２およびこれを備える温熱具１によれば、仕切片２１，５２により、収容本体部２ａおよび別体本体部５１の内部を奥行方向Ｄに仕切ることができ、発熱部１０を奥行方向Ｄに選択的に収容させることができる。そのため、発熱部１０からの熱量や全体の重量、収容本体部２ａの奥行寸法を容易に調整することができ。また、仕切片２１，５２が、収容本体部２ａの開口側と異なる側に開口されていることから、収容本体部２ａの開口側が下向きに配されても、発熱部１０が収容本体部２ａの開口側から落下することを防止することができる。したがって、収容本体部２ａを開口させて発熱部１０の着脱のし易さを維持したまま、発熱部１０を固定的に収容することができる。
なお、発熱部１０を１個または２個収容させる場合、第１または第２の収容部２５，２７に優先的に収容させることが好ましい。なぜなら、仕切片２１，５２によって、発熱部１０の落下を防止することができるからである。また、発熱部１０を３個入れる場合、第１または第２の収容部２５，２７の他に、第３の収容部２６に収容しても、その発熱部１０の落下を防止することができる。なぜなら、第１および第２の収容部２５，２７に収容された発熱部１０によって、仕切片２１，５２が奥行方向Ｄの内方にそれぞれ押圧されるため、第３の収容部２６に収容された発熱部１０が仕切片２１，５２との摩擦力によって保持されやすくなるからである。
【００５１】
また、仕切片２１，５２が、収容本体部２ａの開口側と反対の底部側に開口されていることから、収容本体部２ａの開口側が下方に向けられたときの、発熱部１０の保持力を強化することができる。
また、収容本体部２ａの長辺部２ａ１のみが開口されていることから、この開口を介して発熱部１０を着脱させることにより発熱部１０の着脱のし易さを維持したまま、他の辺部を複数開口させるよりも発熱部１０を固定的に収容することができる。
また、収容本体部２ａおよび別体本体部５１の長手方向Ｗ，Ｗ１の両端部に連結部３が設けられていることから、収容本体部２ａおよび別体本体部５１を環状に配した状態で固定することができ、例えば、腕、腰、足、首などに巻き付けておくことができる。さらに、収容本体部２ａおよび別体本体部５１を他の収容本体部２ａおよび他の別体本体部５１に長手方向Ｗ，Ｗ１に連結することができる。
【００５２】
また、収容本体部２ａおよび別体本体部５１の短手方向Ｈ，Ｈ１の両端部に連結部３が設けられていることから、収容本体部２ａおよび別体本体部５１を他の収容本体部２ａおよび他の別体本体部５１に短手方向Ｈ，Ｈ１に連結することができ、面積を広くすることができる。
また、連結部３が、ボタン３１とボタンホール３３とを備えていることから、他の連結部３のボタンホール３３にボタン３１を通すという簡易な動作だけで、連結部３を確実に連結させることができる。
また、ボタン３１とボタンホール３３とが直線上に配置されていることから、ボタン３１とボタンホール３３とが直線上に外れる方向に対する保持力を強化することができる。
また、ボタン３１とボタンホール３３とが一体に設けられていることから、部品点数を減少させることができ、構成を簡易にすることができる。
【００５３】
また、取付部３２の先端部にボタン３１が設けられ、取付部３２の基端部が収容本体部２ａに取り付けられ、さらに取付部３２の長手方向の中間部にボタンホール３３が設けられていることから、ボタン３１とボタンホール３３とを、簡易な構成により容易に一体にすることができる。
また、延長ベルト７０が設けられていることから、メイン収容具２４だけでは固定できないような部位であっても容易に固定することができ、利便性を向上させることができる。
また、延長ベルト７０には、ボタン３１と連結する複数のボタンホール７２が形成されていることから、メイン収容具２４と容易に連結させることができる。
また、第２列７２ｂおよび第３列７２ｃがそれぞれ長手方向Ｗ２にずらされていることから、ボタン３１を通す位置を細かく選択することができる。そのため、収容本体部２ａと延長ベルト７０との周方向全周の長さ寸法を細かく変更させることにより、温熱収容具２の固定力を微調整することができる。すなわち、ボタンホール７２は、長手方向Ｗ２における長さ寸法が必要となることから、ボタンホール７２を長手方向Ｗ２に配列させると、長手方向Ｗ２に小さな間隔でボタンホール７２を設けることができない。本実施形態におけるボタンホール７２では、第１から第３列７２ａ，７２ｂ，７２ｃが３列設けられており、かつ第２列７２ｂおよび第３列７２ｃがそれぞれ長手方向Ｗ２にずらされていることから、長手方向Ｗ２におけるボタンホール７２の長さ寸法よりも小さい間隔でボタンホール７２を設けることができる。そのため、上記のような微調整を容易にすることができる。
【００５４】
また、メイン収容具２４よりも面積の小さな収容別体部５０が連結部３を介してメイン収容具２４に連結されるようになっていることから、温熱収容具２の大きさや形のバリエーションを増やすことができ、利便性を向上させることができる。
また、別体本体部５１に連結部３が設けられていることから、しっかりと連結させた状態で、温熱収容具２の大きさや形のバリエーションを増やすことができ、利便性を向上させることができる。
また、発熱部１０と温熱収容具２とがそれぞれ天然素材からなっていることから、地球環境の保護に寄与することができる。
また、発熱部１０と温熱収容具２が着脱可能な構成となっている（一体構成でない）ので、使用回数や経年劣化によって芳香性が低下した場合や、ユーザーが加熱しすぎたために発熱部１０と温熱収容具２が焦げ臭くなった場合に、その発熱部１０または温熱収容具２のみを交換することで解決するので、ユーザーの利便性、経済性、地球環境の保護に寄与することができる。また、発熱部１０と温熱収容具２が着脱可能な構成となっているので、生産の効率性を図ることができるだけでなく、発熱部１０の機能を長期間維持することができ、製品寿命を向上させることができる。
【００５５】
なお、本考案の技術範囲は上記の実施形態に限定されるものではなく、本考案の趣旨を逸脱しない範囲において、形状や寸法など種々の変更を加えることが可能である。
例えば、発熱収容体１０ａが四角形状であるものとしたが、これに限ることはなく、その形状は適宜変更可能である。例えば、三角形、円形などのほか、任意の形状にすることができる。
また、仕切片２１，５２が、収容本体部２ａまたは別体本体部５１の開口側と反対の底部側に開口されているとしたが、これに限ることはなく、適宜変更可能である。例えば、長手方向Ｗ，Ｗ１に開口していてもよい。
また、仕切片２１，５２の長手方向Ｗ，Ｗ１の両端が連結されているとしたが、これに限ることはなく、長手方向Ｗ，Ｗ１の両端を解放してもよい。ただし、長手方向Ｗ，Ｗ１の両端を連結した方が発熱部１０の保持力が強化される点で好ましい。
【００５６】
また、長辺部２ａ１，５１ａ１のみが開口しているとしたが、これに限ることはなく、他の辺部が開口していてもよいし、複数の辺部が開口していてもよい。
また、連結部３が設けられているとしたが、これに限ることはなく、収容本体部２ａおよび別体本体部５１において、連結部３を設けなくてもよい。さらに、収容本体部２ａおよび別体本体部５１における連結部３の取付位置、取付数は適宜変更可能である。
また、連結部３としては、ボタン３１とボタンホール３３からなっていなくてもよい。例えば、紐で結んだり、面ファスナーで取り付けたりしてもよい。
また、ボタン３１とボタンホール３３とが直線上に配置されているとしたが、これに限ることはなく、その配置は適宜変更可能である。例えば、ボタン３１とボタンホール３３とを短手方向Ｈ，Ｈ１に隣り合わせて配置してもよい。
また、ボタン３１とボタンホール３３とが一体に設けられているとしたが、これに限ることはなく、別部材であってもよい。
また、取付部３２にボタン３１とボタンホール３３とが設けられるとしたが、これに限ることはなく、その構造は適宜変更可能である。
【００５７】
また、延長ベルト７０が設けられるとしたが、これに限ることはなく、延長ベルト７０を設けなくてもよい。
また、延長ベルト７０のボタンホール７２の形成位置、形成数は適宜変更可能である。
また、収容別体部５０が設けられるとしたが、これに限ることはなく、収容別体部５０を設けなくてもよい。さらに、別体本体部５１が四角形状であるものとしたが、これに限ることはなく、その形状は適宜変更可能である。例えば、三角形、円形などのほか、任意の形状にすることができる。
また、発熱部１０と温熱収容具２とがそれぞれ天然素材からなっているとしたが、これに限ることはなく、その材質は適宜変更可能である。
なお、連結部３に他の温熱具の連結部３を連結させるとしたが、これに限ることはなく、
適宜変更可能である。例えば、コサージュなどのアクセサリーに連結部３を設け、温熱具１の連結部３とアクセサリーの連結部３とを着脱可能に連結するようにしてもよい。これにより、ファッション性を向上させることできる。
また、連結部３を露出させた状態にしているが、これに限ることはなく、連結部３を収納する収納カバーを設けてもよい。これにより、使用しない連結部３を収納しておくことができる。
また、ヘアクリップ、ヘアピンなどを用いてメイン収容具２４（連結部３の収納カバーまたは収容本体部２ａの開口部）を衣服（例えばエプロンなど）に固定して使用することができる。
なお、本考案は、発熱部１０を収容する温熱収容具２およびこれを備える温熱具１であり、温熱することを基本とするが、体のケアのために発熱させない用途で使用できるものとし、常温での使用または冷却して使用できるものとする。
また、これら各変形例を自由に組み合わせることができることは言うまでもない。
【符号の説明】
【００５８】
１  温熱具
２  温熱収容具
２ａ  収容本体部
３  連結部（本体連結部，別体連結部）
１０  発熱部
２１  仕切片
３１  ボタン
３２  取付部
３３  ボタンホール
５０  収容別体部
７０  延長ベルト（延長部材）
７２  ボタンホール（延長用ボタンホール）
【図１】
0003170518.tif 000003
【図２】
0003170518.tif 000004
【図３】
0003170518.tif 000005
【図４】
0003170518.tif 000006
【図５】
0003170518.tif 000007
【図６】
0003170518.tif 000008
【図７】
0003170518.tif 000009
【図８】
0003170518.tif 000010
【図９】
0003170518.tif 000011
【手続補正書】
【提出日】平成23年7月15日(2011.7.15)
【手続補正１】
【補正対象書類名】実用新案登録請求の範囲
【補正対象項目名】全文
【補正方法】変更
【補正の内容】
【実用新案登録請求の範囲】
【請求項１】
発熱部を着脱可能に収容する袋状の収容本体部を備え、
前記収容本体部は、
前記収容本体部内の両内壁に設けられ、かつ前記袋状の開口側と異なる側に向けて設けられ前記発熱部をそれぞれ収容する仕切片を備えることを特徴とする温熱収容具。
【請求項２】
前記仕切片は、
前記袋状の開口側と反対の底部側に向けて設けられていることを特徴とする請求項１に記載の温熱収容具。
【請求項３】
前記収容本体部が四角形状に形成されており、当該四角形状の４つの辺部のうち、一の辺部が前記開口されていることを特徴とする請求項１または請求項２に記載の温熱収容具。
【請求項４】
前記収容本体部のうち、前記一の辺部の長手方向の両端部のうち、少なくともいずれか一方の端部に、互いに連結可能な本体連結部が設けられていることを特徴とする請求項３に記載の温熱収容具。
【請求項５】
前記収容本体部のうち、前記一の辺部に直交する方向の両端部のうち、少なくともいずれか一方の端部に、前記本体連結部が設けられていることを特徴とする請求項４に記載の温熱収容具。
【請求項６】
前記本体連結部は、ボタンとボタンホールとを備えることを特徴とする請求項４または請求項５に記載の温熱収容具。
【請求項７】
前記ボタンと前記ボタンホールとが直線上に配置されていることを特徴とする請求項６に記載の温熱収容具。
【請求項８】
前記ボタンと前記ボタンホールとが一体に設けられていることを特徴とする請求項７に記載の温熱収容具。
【請求項９】
前記本体連結部は、長尺状の取付部を備え、
前記取付部の一端部に前記ボタンが取り付けられ、前記取付部の他端部が前記収容本体部に取り付けられており、
前記取付部のうち、前記一端部と前記他端部との中間部に、前記ボタンホールが設けられていることを特徴とする請求項８に記載の温熱収容具。
【請求項１０】
前記収容本体部に取り付けられる延長部材を備え、
前記延長部材には、前記ボタンが連結される延長用ボタンホールが形成され、
前記延長用ボタンホールは、前記延長部材の長手方向および短手方向に複数形成されており、
前記延長部材の短手方向に形成された前記延長用ボタンホールが前記長手方向にずらされて配列されていることを特徴とする請求項６から請求項９のいずれか一項に記載の温熱収容具。
【請求項１１】
前記発熱部を着脱可能に収容する袋状の収容別体部を備え、
前記収容別体部には、前記本体連結部に連結可能な別体連結部が設けられ、
前記収容別体部は、前記収容本体部よりも小さく形成されていることを特徴とする請求項４から請求項１０のいずれか一項に記載の温熱収容具。
【請求項１２】
前記収容別体部が四角形状に形成されており、
前記収容別体部の長手方向の両端部のうち、少なくともいずれか一方の端部と、
前記収容別体部の短手方向の両端部のうち、少なくともいずれか一方の端部とに、
前記別体連結部が設けられていることを特徴とする請求項１１に記載の温熱収容具。
【請求項１３】
前記発熱部と、
請求項１から請求項１２のいずれか一項に記載の温熱収容具と
を備えることを特徴とする温熱具
【請求項１４】
前記発熱部と請求項１から請求項１３のいずれか一項に記載の温熱収容具とが、それぞれ天然素材からなることを特徴とする温熱具。